(57)【要約】      （修正有）【課題】ボルトで仮締めをし、どんな角度でも安全に組み立て固定することが出来る継手を提供する。【解決手段】パイプ継手本体Ａとパイプ継手本体Ｂとをつなげるために、かしめ固定用金具を使用し、パイプ継手本体Ａとパイプ継手本体Ｂの真ん中に３ｃｍくらいの穴を空け、かしめ固定用金具でかしめる。完全に動かないようにかしめない。自由に動くようにかしめる。穴空き四角鉄板の真ん中に３ｃｍ位の穴を空け、パイプ継手本体Ａに、４個所のスポット溶接をし、また、パイプ継手本体Ｂの側に、穴空き丸型鉄板の真ん中に３ｃｍ位の穴を空け、パイプ継手本体Ｂに４個所のスポット溶接をする。穴空き四角鉄板には４個所、また、穴空き丸型鉄板には、多数の穴を空け、回すと穴空き四角鉄板の４個所の穴と穴空き丸型鉄板の穴はどこか合うようになり、それを継手固定ボルトと継手固定ナットで動かないようにする。【選択図】図１
0003175289.tif 000002
【実用新案登録請求の範囲】
【請求項１】
（１）パイプ継手本体Ａに、（４）穴空き四角鉄板を（６）スポット溶接をし、（１）パイプ継手本体Ａと（４）穴空き四角鉄板の中央部に、３ｃｍ位の穴を空け、さらに（１２）パイプ継手本体Ｂと（５）穴空き鉄板を（６）スポット溶接をし、（１２）パイプ継手本体Ｂと（５）穴空き丸型鉄板の中央部に３ｃｍ位の穴を空け、さらに、（８）かしめ固定用金具で（１）パイプ継手本体Ａと（１２）パイプ継手本体Ｂをかしめ、（１）パイプ継手本体Ａと（１２）パイプ継手本体Ｂは回る位完全に固定しないようにかしめ、それを回しながら、角度の良い所で、（１０）継手固定ボルトと（１１）継手固定ナットで完全に動かないように出来るように構成された角度調整固定継手器具である。
【考案の詳細な説明】
【技術文野】
【０００１】この考案は、パイプの固定のための継手に関するものである。
【背景技術】
【０００２】従来パイプを固定するために、並行線上と、十字型の位置にパイプを固定する継手はあった。また、思った角度にパイプを固定出来ない継手はあった。
【特許文献１】
【非特許文献】
【考案の開示】
【考案が解決しようとする課題】
【０００３】これは次のような欠点があった。
（イ）並行線上にパイプ同士を固定する継手は（１）パイプ継手本体Ａと、（１２）パイプ継手本体Ｂ同士をスポット溶接をしてあるために、角度の調整は出来ない。また、パイプ同士を十字型に固定する継手もスポット溶接で固定してあるためにパイプ角度の調整は出来ない。また、スポット溶接で固定してない継手は何回転もしてしまうので、パイプ同士を固定しようとしても不安定で、パイプが倒れてしまうという欠点があった。
（ロ）スポット溶接してない継手は、真ん中をかしめて（１）パイプ継手本体Ａと、（１２）パイプ継手本体Ｂを一体にしたもので、１８０度回転出来るようにしてありますが、パイプ同士を継手で固定した後、手を離した時に倒れて危険であり、また、ひとりで作業している時に他の人に押えてもらわないと継手で固定することが困難であった。
【課題を解決するための手段】
【０００４】（１）パイプ継手本体Ａと（１２）パイプ継手本体Ｂとをつなぐ所のパイプ継手本体Ａに、直径３ｃｍ位の穴を空け、同じく真ん中に直径３ｃｍ位の穴を空けた（４）穴空き四角鉄板を４個所（６）スポット溶接をします。また、（１２）パイプ継手本体Ｂには（１）パイプ継手本体Ａをかしめる側に、直径３ｃｍ位の穴を空け、同じく直径３ｃｍ位の穴を真ん中に空け、さらに（４）四角鉄板とをボルトで固定するための（７）ボルト止め穴を回りに多数空けます。この（５）穴空き丸型鉄板を（１２）パイプ継手本体Ｂに、４個所（６）スポット溶接をする。それをさらに、（１）パイプ継手本体Ａと（１２）パイプ継手本体Ｂを（８）かしめ固定用金具でかしめます。これは１８０度自由に回るように完全に固定しないでかしめます。（４）穴空き四角鉄板と（５）穴空き丸型鉄板とのボルトの穴はどんな角度でも合うようになり、穴の合った所で、ボルトで締めて固定する。以上のような方法で、パイプを自由な角度で固定出来るようになる。以上のような構成よりなる、パイプ継手器具である。
【考案の効果】
【０００５】斜めのパイプ補強のために、固定する場合、ボルトの固定があるために、さらに強度が出来、また、取り付ける場合、ボルト止めで角度が決められるので安全である。
【考案を実施するための最良の形態】
【０００６】（５）穴空き丸型鉄板と（４）穴空き四角鉄板とを（１０）継手固定ボルトと（１１）継手固定ナットで固定の場合、手で仮止めを一本か二本（１０）継手固定ボルトを通して（１１）継手固定ナットを手で仮締めをする。それから、２個所、３個所、仮締めを手でした後、増し締めをすると角度が出る。増し締めの際には、メガネレンチやスパナレンチを使用して行なう。
【実施例】
【０００７】（１）パイプ継手本体Ａに（４）穴空き四角鉄板を（６）スポット溶接で溶接をし、動かないようにする。４個所に穴を空けるのは、１個所、２個所では不安定なため、４個所は必要であり、それ以上は固定するためには時間と手間が必要になり、４個所が適合である。また、（１２）パイプ継手本体Ｂには、（５）穴空き丸型鉄板を（６）スポット溶接で溶接をし、動かないようにする。（５）穴空き丸型鉄板には、多数の（７）ボルト止めを空けるのは１８０度の中で、適合した位置にボルトで固定出来るよう（４）穴空き四角鉄板の４個所の穴と適合するようにしたものである。さらに、（１）パイプ継手本体Ａと（１２）パイプ継手本体Ｂの真ん中を（９）かしめ固定用金具通し穴を設け、（８）かしめ固定金具で、（１）パイプ継手本体Ａと、（１２）パイプ継手本体Ｂとが回るように、完全に固定しないようにかしめる。
【産業上の利用可能性】
【０００８】パイプとパイプを斜めに固定する場合など、ボルトで仮締めをして、パイプを固定してから次のパイプに継手を固定出来るため、一人で作業をすることも出来る。パイプなどの固定をする時に、不安定で危険である作業などが安全に出来るようになる。
【図面の簡単な説明】
【０００９】
【図１】本考案の斜視図である。
【図２】本考案の分解斜視図である。
【図３】本考案の正面図である。
【図４】本考案の断面図である。
【図５】本考案の分解の一部の平面図である。
【図６】本考案の分解の一部の断面図である。
【符号の説明】
【０００１０】１  パイプ継手本体Ａ
２  丸型パイプ固定ボルト
３  丸型パイプ固定ナット
４  穴空き四角鉄板
５  穴空き丸型鉄板
６  スポット溶接
７  ボルト止め穴
８  かしめ固定用金具
９  かしめ固定用金具通し穴
１０  継手固定ボルト
１１  継手固定ナット
１２  パイプ継手本体Ｂ
【図１】
0003175289.tif 000003
【図２】
0003175289.tif 000004
【図２】
0003175289.tif 000005
【図３】
0003175289.tif 000006
【図４】
0003175289.tif 000007
【図５】
0003175289.tif 000008
【図６】
0003175289.tif 000009
【手続補正書】
【提出日】平成24年3月6日(2012.3.6)
【手続補正１】
【補正対象書類名】図面
【補正対象項目名】全図
【補正方法】変更
【補正の内容】
【図１】
0003175289.tif 000010
【図２】
0003175289.tif 000011
【図３】
0003175289.tif 000012
【図４】
0003175289.tif 000013
【図５】
0003175289.tif 000014
【図６】
0003175289.tif 000015
【図７】
0003175289.tif 000016
【手続補正２】
【補正対象書類名】明細書
【補正対象項目名】０００９
【補正方法】変更
【補正の内容】
【０００９】
【図１】本考案の斜視図である。
【図２】本考案の分解斜視図である。
【図３】本考案の分解斜視図である。
【図４】本考案の正面図である。
【図５】本考案の断面図である。
【図６】本考案の分解の一部の平面図である。
【図７】本考案の分解の一部の断面図である。